(57)【要約】【課題】ハードゾーンおよびソフトゾーンを備えた成形品に加工する際に、冷却時の意図しない変形を抑制し、成形品の加工精度を高める。【解決手段】熱間プレス加工装置１は、ワークＷを加熱する加熱工程と、加熱工程により加熱されたワークＷをプレス成形するプレス工程と、プレス工程によりプレス成形されたワークＷの一部を冷却してマルテンサイト変態させることにより、ワークＷ内にハードゾーンＺｈを生成する一方、該ワークＷの他部を冷却してフェライト・ベイナイト変態させることにより、前記ワークＷ内にソフトゾーンＺｓを生成する冷却工程と、を備える。熱間プレス加工装置１は、冷却工程を実行するとき、ソフトゾーンＺｓ内の所定部位Ｚｂに対しては、該所定部位Ｚｂにおける剛性および硬度を高めた後に冷却する。【選択図】図４
2019177390.tif 000002
【特許請求の範囲】
【請求項１】
ワークを成形品に加工するための熱間プレス加工方法であって、
前記ワークを加熱する加熱工程と、
前記加熱工程により加熱されたワークをプレス成形するプレス工程と、
前記プレス工程によりプレス成形されたワークの一部を冷却してマルテンサイト変態させることにより、前記ワーク内にハードゾーンを生成する一方、該ワークの他部を冷却してフェライト・ベイナイト変態させることにより、前記ワーク内にソフトゾーンを生成する冷却工程と、を備え、
前記冷却工程を実行するとき、前記ソフトゾーン内の所定部位に対しては、該所定部位における剛性および硬度の少なくとも一方を高めた後に冷却する
ことを特徴とする熱間プレス加工方法。
【請求項２】
請求項１に記載された熱間プレス加工方法において、
前記冷却工程を実行するとき、前記所定部位に対しては、前記ソフトゾーンにおける他の部位よりも高い剛性を有する形状を付与した後に冷却する
ことを特徴とする熱間プレス加工方法。
【請求項３】
請求項２に記載された熱間プレス加工方法において、
前記冷却工程を実行するとき、前記所定部位に対しては、特定方向に延びるビード形状を付与した後に冷却する
ことを特徴とする熱間プレス加工方法。
【請求項４】
請求項３に記載された熱間プレス加工方法において、
前記冷却工程を実行するとき、前記所定部位に対しては、前記ハードゾーンと前記ソフトゾーンとの境界に沿って延びるビード形状を付与した後に冷却する
ことを特徴とする熱間プレス加工方法。
【請求項５】
請求項１に記載された熱間プレス加工方法において、
前記冷却工程を実行するとき、前記所定部位に焼き入れを施した後に冷却する
ことを特徴とする熱間プレス加工方法。
【請求項６】
請求項１に記載された熱間プレス加工方法において、
前記冷却工程を実行するとき、前記所定部位に対しては、前記ソフトゾーンにおける他の部位よりも高い剛性を有する形状を付与するとともに、焼き入れを施した後に冷却する
ことを特徴とする熱間プレス加工方法。
【請求項７】
請求項１から６のいずれか１項に記載された熱間プレス加工方法において、
前記成形品が自動車の車体構成部品である
ことを特徴とする熱間プレス加工方法。
【請求項８】
請求項７に記載された熱間プレス加工方法において、
前記成形品が自動車の骨格構成部品である
ことを特徴とする熱間プレス加工方法。
【請求項９】
請求項７に記載された熱間プレス加工方法において、
前記成形品が自動車のピラー部品である
ことを特徴とする熱間プレス加工方法。
【請求項１０】
ワークを成形品に加工するための熱間プレス加工装置であって、
前記ワークを加熱する加熱工程と、
前記加熱工程により加熱されたワークをプレス成形するプレス工程と、
前記プレス工程によりプレスされたワークの一部を冷却してマルテンサイト変態させることにより、前記ワーク内にハードゾーンを生成する一方、該ワークの他部を冷却してフェライト・ベイナイト変態させることにより、前記ワーク内にソフトゾーンを生成する冷却工程と、を実行し、
前記冷却工程を実行するとき、前記ソフトゾーン内の所定部位に対しては、該所定部位における剛性および硬度の少なくとも一方を高めた後に冷却する
ことを特徴とする熱間プレス加工装置。
【請求項１１】
請求項１０に記載された熱間プレス加工装置において、
前記冷却工程を実行するとき、前記所定部位に対しては、前記ソフトゾーンにおける他の部位よりも高い剛性を有する形状を付与した後に冷却する
ことを特徴とする熱間プレス加工装置。
【請求項１２】
請求項１１に記載された熱間プレス加工装置において、
前記冷却工程を実行するとき、前記所定部位に対しては、特定方向に延びるビード形状を付与した後に冷却する
ことを特徴とする熱間プレス加工装置。
【請求項１３】
請求項１２に記載された熱間プレス加工装置において、
前記冷却工程を実行するとき、前記所定部位に対しては、前記ハードゾーンと前記ソフトゾーンとの境界に沿って延びるビード形状を付与した後に冷却する
ことを特徴とする熱間プレス加工装置。
【請求項１４】
請求項１０に記載された熱間プレス加工装置において、
前記冷却工程を実行するとき、前記所定部位に焼き入れを施した後に冷却する
ことを特徴とする熱間プレス加工装置。
【請求項１５】
請求項１０に記載された熱間プレス加工装置において、
前記冷却工程を実行するとき、前記所定部位に対しては、前記ソフトゾーンにおける他の部位よりも高い剛性を有する形状を付与するとともに、焼き入れを施した後に冷却する
ことを特徴とする熱間プレス加工装置。
【発明の詳細な説明】
【技術分野】
【０００１】
ここに開示する技術は、熱間プレス加工方法及び加工装置に関する。
【背景技術】
【０００２】
この種の熱間プレス加工方法として、ワークをオーステナイト域まで加熱してプレス成形した後、成形型内で冷却することにより、マルテンサイト変態を通じて超高強度の成形品を得る方法が一般に知られている。
【０００３】
例えば、特許文献１には、そうした熱間プレス加工方法（ホットスタンピング方法）の一例として、ワーク（ブランク）に対してＮｉ、Ｃｒ、Ｍｏを添加することにより、フェライト・ベイナイト変態させることなく、オーステナイト域にて成形を行うことが開示されている。
【先行技術文献】
【特許文献】
【０００４】
【特許文献１】特開２０１６−２５９４号公報
【発明の概要】
【発明が解決しようとする課題】
【０００５】
近年、前記特許文献１に記載された方法の応用例として、マルテンサイト変態によって得られるハードゾーンと、フェライト・ベイナイト変態によって得られるソフトゾーンとを組み合わせた成形品が提案されている。この提案によれば、単一の成形品でありながらも、ハードゾーンに起因した高強度と、ソフトゾーンに起因した伸び性とを両立させることができる。
【０００６】
しかしながら、ハードゾーンを成すマルテンサイトと、ソフトゾーンを成すフェライトおよびベイナイトとでは、結晶構造の違いに起因した体積差が存在する。そのため、冷却時の熱収縮によって、成形品の反り等、ソフトゾーンにおいて意図しない変形を招く懸念がある。成形品の加工精度を高めるためには、そうした変形を抑制することが求められる。
【０００７】
ここに開示する技術は、かかる点に鑑みてなされたものであり、その目的とするところは、ハードゾーンおよびソフトゾーンを備えた成形品に加工する際に、冷却時の意図しない変形を抑制し、ひいては成形品の加工精度を高めることにある。
【課題を解決するための手段】
【０００８】
本願発明者等は、鋭意検討を重ねた結果、ソフトゾーン内の所定部位に変形抑制手段を講じた後に、その部位を冷却することを見出し、本開示に至った。
【０００９】
具体的に、ここに開示する技術は、ワークを成形品に加工するための熱間プレス加工方法に係る。この熱間プレス加工方法は、前記ワークを加熱する加熱工程と、前記加熱工程により加熱されたワークをプレス成形するプレス工程と、前記プレス工程によりプレス成形されたワークの一部を冷却してマルテンサイト変態させることにより、前記ワーク内にハードゾーンを生成する一方、該ワークの他部を冷却してフェライト・ベイナイト変態させることにより、前記ワーク内にソフトゾーンを生成する冷却工程と、を備え、前記冷却工程を実行するとき、前記ソフトゾーン内の所定部位に対しては、該所定部位における剛性および硬度の少なくとも一方を高めた後に冷却する。
【００１０】
この方法によれば、単一の成形品でありながらも、ハードゾーンとソフトゾーンを両方とも生成することで、ハードゾーンに起因した高強度と、ソフトゾーンに起因した伸び性とを両立させることができる。
【００１１】
さらに、前記方法は、冷却工程に際し、ソフトゾーン内の所定部位における剛性および硬度の少なくとも一方を高めた後に、その部位を冷却する。剛性および硬度の少なくとも一方を予め高めておくことで、熱収縮に伴う反り等を抑制することができる。このように、冷却前に変形抑制手段を講じておくことで、ソフトゾーンにおける意図しない変形を抑制し、成形品の加工精度を高めることが可能となる。
【００１２】
また、前記熱間プレス加工方法は、前記冷却工程を実行するとき、前記所定部位に対しては、前記ソフトゾーンにおける他の部位よりも高い剛性を有する形状を付与した後に冷却する、としてもよい。
【００１３】
この方法によれば、前記所定部位の剛性を高めることで、ソフトゾーンにおける意図しない変形を抑制し、成形品の加工精度を高める上で有利になる。
【００１４】
また、前記熱間プレス加工方法は、前記冷却工程を実行するとき、前記所定部位に対しては、特定方向に延びるビード形状を付与した後に冷却する、としてもよい。
【００１５】
この方法によれば、前記所定部位に対してビード形状を付与することで、この部位における剛性を高めることができる。これにより、ソフトゾーンにおける意図しない変形を抑制し、成形品の加工精度を高める上で有利になる。
【００１６】
また、前記熱間プレス加工方法は、前記冷却工程を実行するとき、前記所定部位に対しては、前記ハードゾーンと前記ソフトゾーンとの境界に沿って延びるビード形状を付与した後に冷却する、としてもよい。
【００１７】
また、前記熱間プレス加工方法は、前記冷却工程を実行するとき、前記所定部位に焼き入れを施した後に冷却する、としてもよい。
【００１８】
この方法によれば、前記所定部位に対して焼き入れを施すことで、その部位における硬度を高めることができる。これにより、ソフトゾーンにおける意図しない変形を抑制し、成形品の加工精度を高める上で有利になる。
【００１９】
また、前記熱間プレス加工方法は、前記冷却工程を実行するとき、前記所定部位に対しては、前記ソフトゾーンにおける他の部位よりも高い剛性を有する形状を付与するとともに、焼き入れを施した後に冷却する、としてもよい。
【００２０】
この方法によれば、前記所定部位における剛性および硬度を両方とも高めることができる。これにより、ソフトゾーンにおける意図しない変形を抑制し、成形品の加工精度を高める上でさらに有利になる。
【００２１】
また、前記成形品が自動車の車体構成部品である、としてもよい。
【００２２】
また、前記成形品が自動車の骨格構成部品である、としてもよい。
【００２３】
また、前記成形品が自動車のピラー部品である、としてもよい。
【００２４】
ここに開示する別の技術は、ワークを成形品に加工するための熱間プレス加工装置に係る。この熱間プレス加工装置は、前記ワークを加熱する加熱工程と、前記加熱工程により加熱されたワークをプレス成形するプレス工程と、前記プレス工程によりプレスされたワークの一部を冷却してマルテンサイト変態させることにより、前記ワーク内にハードゾーンを生成する一方、該ワークの他部を冷却してフェライト・ベイナイト変態させることにより、前記ワーク内にソフトゾーンを生成する冷却工程と、を実行し、前記冷却工程を実行するとき、前記ソフトゾーン内の所定部位に対しては、該所定部位における剛性および硬度の少なくとも一方を高めた後に冷却する。
【００２５】
この構成によれば、単一の成形品でありながらも、ハードゾーンとソフトゾーンを両方とも生成することで、ハードゾーンに起因した高強度と、ソフトゾーンに起因した伸び性とを両立させることができる。
【００２６】
さらに、前記構成は、冷却工程に際し、ソフトゾーン内の所定部位における剛性および硬度の少なくとも一方を高めた後に、その部位を冷却する。剛性および硬度の少なくとも一方を予め高めておくことで、熱収縮に伴う反り等を抑制することができる。このように、冷却前に変形抑制手段を講じておくことで、ソフトゾーンにおける意図しない変形を抑制し、成形品の加工精度を高めることが可能となる。
【００２７】
また、前記熱間プレス加工装置は、前記冷却工程を実行するとき、前記所定部位に対しては、前記ソフトゾーンにおける他の部位よりも高い剛性を有する形状を付与した後に冷却する、としてもよい。
【００２８】
また、前記熱間プレス加工装置は、前記冷却工程を実行するとき、前記所定部位に対しては、特定方向に延びるビード形状を付与した後に冷却する、としてもよい。
【００２９】
また、前記熱間プレス加工装置は、前記冷却工程を実行するとき、前記所定部位に対しては、前記ハードゾーンと前記ソフトゾーンとの境界に沿って延びるビード形状を付与した後に冷却する、としてもよい。
【００３０】
また、前記熱間プレス加工装置は、前記冷却工程を実行するとき、前記所定部位に焼き入れを施した後に冷却する、としてもよい。
【００３１】
また、前記熱間プレス加工装置は、前記冷却工程を実行するとき、前記所定部位に対しては、前記ソフトゾーンにおける他の部位よりも高い剛性を有する形状を付与するとともに、焼き入れを施した後に冷却する、としてもよい。
【発明の効果】
【００３２】
以上説明したように、ここに開示する技術は、ハードゾーンおよびソフトゾーンを備えた成形品に加工する際に、冷却時の意図しない変形を抑制し、成形品の加工精度を高めることができる。
【図面の簡単な説明】
【００３３】
【図１】図１は、熱間プレス加工装置にワークを搬入した状態を示す断面図である。
【図２】図２は、熱間プレス加工装置によるプレス状態を示す断面図である。
【図３】図３は、プレス成形品としてのピラー部品を例示する図である。
【図４】図４は、変形抑制手段を講じたピラー部品を例示する図である。
【図５】図５は、ワークの変態曲線を例示する図である。
【図６】図６は、変形抑制手段を講じていないピラー部品を例示する図である。
【図７】図７は、ビード形状の構成について例示する図である。
【発明を実施するための形態】
【００３４】
以下、本発明の実施形態を図面に基づいて説明する。なお、以下の説明は例示である。
【００３５】
図１〜図２に、本実施形態に係る熱間プレス加工装置１を示す。この熱間プレス加工装置１は、加熱したワークＷに対してプレス成形を施すことにより、そのワークＷを図３〜図４に示すプレス成形品に加工するものである。
【００３６】
本実施形態に係るプレス成形品は、自動車の車体構成部品を成すピラー部品１００である。図３に示すように、このピラー部品１００は、自動車のフロアパネルとルーフパネルの間に架設されるセンターピラーを成す。つまり、ピラー部品１００は、幅狭の長板状に形成されており、車体組立時においては、長手方向を車両上下方向に沿わせた姿勢で組み付けられる。以下、車体組立時に車両上方向となる方向を単に「上方向」と呼称し、その反対方向を「下方向」と呼称する。「上下方向」、「上側」および「下側」等の語も、同様の意味で用いる。また、車体組立時に車両前後方向となる方向を単に「前後方向」と呼称する。
【００３７】
図４に示すように、ピラー部品１００は、プレス成形後に急冷することによって焼き入れられる第１ハードゾーンＺｈと、プレス成形後に空冷することによって得られるソフトゾーンＺｓとを組み合わせて成る。具体的に、上下方向における上端部から中央部にかけての部分が第１ハードゾーンＺｈを構成し、同方向における下端部がソフトゾーンＺｓを構成している。
【００３８】
また、ソフトゾーンＺｓ内の所定部位Ｚｂには、前後方向（特定方向）に延びるビード形状が付与されており、第１ハードゾーンＺｈと同様に焼き入れが施されている。図４に示すように、ビード形状は、ソフトゾーンＺｓと第１ハードゾーンＺｈとの境界に対して略平行に延びている。以下、この所定部位Ｚｂを「第２ハードゾーンＺｂ」ともいう。
【００３９】
（熱間プレス加工装置）
図１〜図２に示すように、熱間プレス加工装置１は、プレス成形品としてのピラー部品１００を得るための金型、すなわち、プレス成形用の上型１１及び下型１２を備える。上型１１は上型ホルダ１３に固定されている。上型ホルダ１３には、プレス機械が昇降するスライダ（図示省略）が取り付けられる。下型１２は下型ホルダ１４に固定されている。
【００４０】
上型１１は、加熱されたワークＷをプレス成形するためのプレス成形面１５を備えている。下型１２は、上型１１に対応するプレス成形面１６を備えている。上型１１及び下型１２は、それぞれ、図１〜図２の紙面左側から順に、第１ハードゾーンＺｈに対応する部位を成形するための第１型部１１Ａ，１２Ａと、ソフトゾーンＺｓに対応する部位を成形するための第２型部１１Ｂ，１２Ｂと、第２ハードゾーンＺｂに対応する部位を成形するための第３型部１１Ｃ，１２Ｃと、に区分されている。
【００４１】
第１型部１１Ａ，１２Ａ及び第３型部１１Ｃ，１２Ｃには、ワークＷをプレス状態で型冷却するための液状冷媒（例えば、冷却水）が供給される冷媒通路１７，１８が設けられている。
【００４２】
本実施形態では、液状冷媒によって第１型部１１Ａ，１２Ａ及び第３型部１１Ｃ，１２Ｃのみを冷却するように構成されているが、この構成に代えて、直水冷式の構成を採用してもよい。その場合、各冷媒通路１７，１８は、第１型部１１Ａ，１２Ａ及び第３型部１１Ｃ，１２Ｃを貫通してプレス成形面１５，１６に開口することになる。
【００４３】
第２型部１１Ｂ，１２Ｂには、プレス状態のワークＷを保温するためのヒータ１９，２０が設けられている。上下のヒータ１９，２０は、双方とも電気ヒータとして構成されており、それぞれヒータ電源（図示省略）に接続されている。
【００４４】
また、第１型部１１Ａ，１２Ａと第２型部１１Ｂ，１２Ｂとの境界部、及び、第２型部１１Ｂ，１２Ｂと第３型部１１Ｃ，１２Ｃとの境界部は、それぞれ、断熱材２１によって区画されている。
【００４５】
下型１２のプレス成形面１６のうち、第３型部１１Ｃ，１２Ｃに対応する部位は、上方に突出した凸状面１６ａを成す。一方、上型１１のプレス成形面１５のうち、第３型部１１Ｃ，１２Ｃに対応する部位は、凸状面１６ａを雄部としたときの雌部にあたる凹状面１５ａを成す。
【００４６】
図１に示すように、ワークＷは平板上のブランク材から成る。このワークＷは、予め所定温度（オーステナイト温度域）に加熱されて、上型１１と下型１２の間に搬入される。上型１１と下型１２の間に搬入されるワークＷのうち、第１型部１１Ａ，１２Ａと第３型部１１Ｃ，１２Ｃの間に位置する部位については、プレス成形した後にプレス状態で冷却させるホットスタンプによって成形される。一方、同ワークＷのうち、第２型部１１Ｂ，１２Ｂの間に位置する部位については、フェライト・ベイナイト変態させるための前準備として、プレス成形後にヒータ１９，２０によって保温される。
【００４７】
特に、第３型部１１Ｃ，１２Ｃの間に位置する部位については、上型１１が下型１２に向かって下降したときに、凸状面１６ａと凹状面１５ａとがワークＷを塑性変形させることにより、前述のビード形状を成形する。
【００４８】
プレス成形されたワークＷは、上型１１及び下型１２から搬出された後、空冷される。
【００４９】
以下、熱間プレス加工装置１を用いた熱間プレス加工方法について、詳細に説明をする。
【００５０】
（熱間プレス加工方法）
図５は、ワークＷの変態曲線を例示する図である。
【００５１】
［１．加熱工程］
まず、平板状のワークＷを加熱して、Ａｃ３点（変態温度のうち、フェライトからオーステナイトへの変態を完了する温度）以上に加熱する。これにより、ワークＷは、オーステナイトへの変態を完了する。
【００５２】
［２．搬入工程］
図１に示すように、加熱したワークＷを上型１１と下型１２の間に搬入する。
【００５３】
［３．プレス工程］
図２に示すように、上型１１を下降させ、ワークＷを上型１１のプレス成形面１５及び下型１２のプレス成形面１６に倣った形状にプレス成形する。このとき、上型１１及び下型１２それぞれの第１型部１１Ａ，１２Ａによって、ピラー部品１００の上端部から中央部かけての部位が成形され、それぞれの第２型部１１Ｂ，１２Ｂによって、ピラー部品１００の下端部が成形される。
【００５４】
同時に、上型１１及び下型１２それぞれの第３型部１１Ｃ，１２Ｃによって、ピラー部品１００の下端部にピラー形状が付与される。このピラー形状は、前後方向（図１の紙面に垂直な方向）に延設されている。ピラー形状が付与された部位（第２ハードゾーンＺｂ）は、図７（ａ）のＡ１−Ａ１断面に示すように、ピラー部品１００の板厚方向に向かって凸を成している。
【００５５】
［４．冷却工程（型冷却）］
上型１１と下型１２によってワークＷをプレスした状態において、第１型部１１Ａ，１２Ａと第３型部１１Ｃ，１２Ｃの冷媒通路１７，１８に液状冷媒を通す。液状冷媒を通す時間は、液状冷媒として水を用いた場合は２〜３秒程度に設定される。それと同時に、第２型部１１Ｂ，１２Ｂのヒータ１９，２０を発熱させる。ヒータ１９，２０の発熱により、第２型部１１Ｂ，１２Ｂは、例えば５００℃程度に保温される。図５に示すように、ヒータ１９，２０の温度は、フェライト・ベイナイト生成領域の下限温度よりも高く設定してもよい。
【００５６】
これにより、型内へ搬入されたワークＷのうち第１型部１１Ａ，１２Ａの間に位置する部位と、第３型部１１Ｃ，１２Ｃの間に位置する部位（ワークの一部）が、Ｍｓ点（変態温度のうち、オーステナイトからマルテンサイトへの変態を開始する温度）未満に型冷却され、マルテンサイト変態して焼き入れ状態となる（図５の破線を参照）。こうして、型冷却された部位における硬度が高められ、ワークＷ内に第１及び第２ハードゾーンＺｈ，Ｚｂが生成される。
【００５７】
一方、ワークＷのうち第２型部１１Ｂ，１２Ｂの間に位置する部位は、マルテンサイト変態しないように、Ｍｓ点以上の温度に保たれつつ冷却される。
【００５８】
［５．脱型工程］
図示は省略するが、上型１１を上昇させてプレス成形されたワークＷを脱型する。脱型されたワークＷは、下型１２から搬出される。
【００５９】
［６．冷却工程（空冷）］
下型１２から搬出されたワークＷは、大気によって空冷される。これにより、第１及び第２ハードゾーンＺｈ，Ｚｂが生成された部位が、型冷却時よりも緩やかに冷却されて常温に至る。
【００６０】
一方、ワークＷにおける他の部位、すなわち、ヒータ１９，２０によって保温されていた部位（ワークの他部）は、図５の実線に示すように、フェライト・ベイナイト生成領域（図５の網掛け部を参照）を通過するように冷却される。ここで、フェライト・ベイナイト生成領域は、いわゆるフェライト領域と、ベイナイト領域を総称した領域を指す。そうして、保温されていた部位がフェライト・ベイナイト変態し、ワークＷ内に、軟質組織から成るソフトゾーンＺｓが生成される。その後、ソフトゾーンＺｓが生成された部位は、さらに冷却されて常温に至る。
【００６１】
（空冷時の熱収縮について）
こうして、プレス成形されたピラー部品１００を得る。このピラー部品１００は、単一の成形品でありながらも、第１ハードゾーンＺｈに起因した高強度と、ソフトゾーンＺｓに起因した伸び性とを両立させることができる。特に、このソフトゾーンＺｓによって、車両衝突時（特に側突時）に、その衝突エネルギを吸収することができる。
【００６２】
しかしながら、第１ハードゾーンＺｈを成すマルテンサイトと、ソフトゾーンＺｓを成すフェライトおよびベイナイトとでは、結晶構造の違いに起因した体積差が存在する。そのため、空冷時の熱収縮によって、ピラー部品１００の反り等、ソフトゾーンＺｓにおいて意図しない変形を招く虞がある。
【００６３】
そうした変形としては、図６のＡ−Ａ断面およびＡ’−Ａ’断面に示すように、ハードゾーンと、ソフトゾーンとの境界線に沿った反りが懸念される。ピラー部品１００の加工精度を高めるためには、そうした変形を抑制することが求められる。
【００６４】
そこで、空冷の実施に先立って、変形抑制手段として、ソフトゾーンＺｓ内の所定部位Ｚｂにおける剛性および硬度を高める。具体的に、前後方向に延びるビード形状を付与することにより、この所定部位Ｚｂに対し、ソフトゾーンＺｓにおける他の部位よりも高い剛性を与えることができる。それと同時に、空冷を実施する前に焼き入れを施すことにより、この所定部位Ｚｂに対し、ソフトゾーンＺｓにおける他の部位よりも高い硬度を与えることができる。このように空冷前に変形抑制手段を講じておくことで、空冷時の熱収縮に伴う反り等を抑制し、ピラー部品１００の加工精度を高めることが可能となる。
【００６５】
特に、ビード形状が付された第２ハードゾーンＺｂは、第１ハードゾーンＺｈと、ソフトゾーンＺｓとの境界線に沿って延設されているため、熱収縮に伴う反りを効果的に抑制することができる。
【００６６】
ここに、車両側突時には、センターピラーとしてのピラー部品１００は、略前後方向に沿った折れ線（いわゆる屈曲折れ線）を実質的に備えている。ピラー部品１００は、この折れ線に沿って屈曲することで衝突エネルギを吸収するところ、第２ハードゾーンＺｂを成すビード形状は、この折れ線に沿って延設されている。そのため、このビード形状は、上下方向に延設させた構成に比して、衝突エネルギの吸収を妨げることはない。
【００６７】
−ピラー部品の変形例−
前記実施形態では、第２ハードゾーンＺｂに付されるビード形状として、ピラー部品１００の板厚方向に向かって凸を成す形状について説明したが、本開示に係るビード形状は、これに限られない。例えば、図７（ｂ）、及び、そのＡ２−Ａ２断面に示すように、ピラー部品１００’の第２ハードゾーンＺｂ’に対して、ステップ状に折曲して成るビード形状を付与してもよい。
【００６８】
またそもそも、第２ハードゾーンＺｂに付与される形状は、ビード形状に限られない。例えば、図７（ｃ）、及び、そのＡ３−Ａ３断面に示すように、ピラー部品１００”の下端部に対して、座面状の凹凸形状Ｚｂ”を付してもよい。このような形状を採用したとしても、ソフトゾーンにおける剛性を高めることができる。
【００６９】
《他の実施形態》
前記実施形態では、成形品の一例として、自動車の車体構成部品としてピラー部品について説明したが、ここに開示した技術は、例えば、自動車の骨格構成部品に適用することもできる。サイドフレームを始めとする骨格構成部品に適用した場合、単一の成形品でありながらも、ハードゾーンに起因した高強度と、ソフトゾーンに起因した加工性とを両立させることができる。この場合においても、冷却時の意図しない変形を抑制し、成形品の加工精度を高めることができる。
【００７０】
また、前記実施形態では、第２ハードゾーンＺｂに対してビード形状を付与するとともに、焼き入れを施す構成について説明したが、この構成には限られない。ビード形状の付与、及び、焼き入れのうちの一方を実施すればよい。
【００７１】
また、前記実施形態では、ソフトゾーンＺｓを生成するべく、大気によって空冷する構成について説明したが、この構成に代えて、例えば型内で徐冷してもよい。
【００７２】
また、前記実施形態では、ソフトゾーンＺｓが生成される部位を保温するためのヒータ１９，２０を備えた構成について説明したが、この構成に代えて、例えば第２型部１１Ｂ，１２Ｂの内部に高温流体（例えば油）を流通させてもよい。
【００７３】
また、前記実施形態では、図１に示すように、ワークＷの上下に冷媒通路１７，１８及びヒータ１９，２０を配置する構成について説明したが、この構成に代えて、前後左右に配置してもよい。
【００７４】
また、第１型部１１Ａ，１２Ａと第２型部１１Ｂ，１２Ｂとの境界部、及び、第２型部１１Ｂ，１２Ｂと第３型部１１Ｃ，１２Ｃとの境界部に断熱材２１に設ける構成に代えて、当該境界部に空気層を設けてもよい。
【００７５】
また、前記実施形態では、ワークＷを型冷却して第１ハードゾーンＺｈを生成した後に、このワークＷを空冷してソフトゾーンＺｓを生成する方法について説明したが、例えば、所定部位Ｚｂにビード形状を付与した後に、液状冷媒を用いた型冷却と、型内での徐冷を同時に行って、第１ハードゾーンＺｈとソフトゾーンＺｓを並行して生成してもよい。
【符号の説明】
【００７６】
１      熱間プレス加工装置
１００  ピラー部品
Ｗ      ワーク
Ｚｈ    第１ハードゾーン
Ｚｓ    ソフトゾーン
Ｚｂ    第２ハードゾーン（所定部位）
【図１】
2019177390.tif 000003
【図２】
2019177390.tif 000004
【図３】
2019177390.tif 000005
【図４】
2019177390.tif 000006
【図５】
2019177390.tif 000007
【図６】
2019177390.tif 000008
【図７】
2019177390.tif 000009